(57)【要約】【課題】住居人に検出の手間をかけることなく食事忘れを容易に検知でき、食事忘れを住居人に対して報知できる生活支援報知システムを提供する。【解決手段】電力計測装置２ａ〜２ｃはそれぞれ電気調理器具４ａ〜４ｃの消費電力を計測し、計測結果を制御装置１に無線送信する。制御装置１は、電力計測装置２ａ〜２ｃから無線送信された消費電力の計測結果をもとに電気調理器具４ａ〜４ｃの使用の有無を検出する調理器具使用検出手段と、調理器具使用検出手段の検出結果をもとに住居人の食事行動を検知する食事検知手段と、食事検知手段の検知結果及び食事行動検知時の時刻情報をもとに、食事行動を行う予定の食事予定時間に食事検知手段が食事行動を検知しなければ食事行動忘れと判定する食事行動忘れ判定手段とを備え、食事行動忘れと判定するとテレビ３を用いて映像或いは音声で住居人に対して食事行動忘れを報知させる。【選択図】図１
2010224800.tif 000002
【特許請求の範囲】
【請求項１】
住居内に設置された電気調理器具の消費電力から当該電気調理器具の使用の有無を検出する調理器具使用検出手段と、前記調理器具使用検出手段の検出結果をもとに住居人の食事行動を検知する食事検知手段と、現在時刻を計時する計時手段と、食事行動を行う食事予定時間が登録された食事時間登録手段と、食事検知手段の検知結果及び計時手段の計時時刻をもとに前記食事予定時間に前記食事検知手段が食事行動を検知しなければ食事行動忘れと判定する食事行動忘れ判定手段と、食事行動忘れ判定手段が食事行動忘れと判定すると住居人に対して食事行動忘れを報知する報知手段とを備えたことを特徴とする生活支援報知システム。
【請求項２】
前記食事行動忘れ判定手段は、前記食事検知手段が前記食事予定時間に食事行動を複数回検知した場合も食事行動忘れと判定することを特徴とする請求項１記載の生活支援報知システム。
【請求項３】
前記報知手段は、前記食事行動忘れ判定手段によって食事行動忘れと判定された後、前記食事検知手段によって食事行動が検知されるまで、所定の報知間隔で繰り返し報知しており、
食事行動忘れと判定された各食事毎に、報知手段が報知を行った回数の情報及び報知時から食事行動が検知されるまでの時間の情報のうち少なくとも１つの情報を記憶する記憶手段と、当該記憶手段に記憶された情報を出力する出力手段とを備えたことを特徴とする請求項１又は２の何れかに記載の生活支援報知システム。
【請求項４】
食事時に合わせて服用時間帯が設定される薬を収納する薬収納装置から薬が取り出されたことを検知する取出検知手段と、前記食事検知手段が食事行動を検知した時刻から求めた服用時間帯に取出検知手段が薬の取出を検知しなければ、薬の服用を忘れたと判定する薬服用忘れ判定手段とを備え、前記薬服用忘れ判定手段が薬の服用忘れを判定すると前記報知手段が薬の服用忘れを報知することを特徴とする請求項１乃至３の何れか１項に記載の生活支援報知システム。
【発明の詳細な説明】
【技術分野】
【０００１】
本発明は、生活支援報知システムに関するものである。
【背景技術】
【０００２】
近年、高齢者人口の増加に伴い、高齢者の独居世帯が増加する傾向にある。高齢者が一人暮らしをしていると、いわゆる認知症が進みやすく、認知症の初期症状として物忘れが多くなる場合がある。物忘れが多くなると、生活する上で欠かせない基本的な生活行動さえ忘れてしまうようになり、例えば食事をし忘れたり、食事をしたことを忘れてまた食事をしたりするといった状況が発生する。このような状況を放置しておくと物忘れがひどくなって、認知症が進行する可能性があり、また食事のし忘れが続くと、体力が低下して健康を害する可能性もある。同居人がいれば同居人が食事を用意したり、声かけをしたりするので、食事のし忘れは起きにくくいが、高齢者の独居世帯では高齢者の日常生活を見てくれる同居人がいないため、食事のし忘れを高齢者に気付かせることができなかった。
【０００３】
ところで、住居人が食事をしたか否かを検出する方法としては、食前と食後にそれぞれ体重を測定し、その体重差から食事が行われたことを検出する方法が考えられるが、物忘れのひどい住居人の場合は、体重計に乗って体重を測定する行為そのものを忘れる可能性があるため、住居人の負担が多い割には、食事忘れを確実に検知できない可能性がある。
【０００４】
そこで、住居人に測定の負担をかけさせることなく、食事行動を検出する食事行動検出装置として、人体から放射される赤外線を検出することで人の動きを検知する赤外線センサ部を食卓に設置し、赤外線センサ部により食卓の各着座位置にいる人の食事行動を検出するものが従来提案されている（例えば、特許文献１参照）。この食事行動検出装置では、所定の定義時間内に赤外線センサ部が人体の動きを検出した頻度が所定のしきい値よりも高ければ、食事行動を行っているものと判定しており、住居人がセンサ等を身につけたり、住居人自身が何らかの計測を行ったりする必要がないから、住居人に測定の煩わしさを感じさせることがないという利点がある。
【先行技術文献】
【特許文献】
【０００５】
【特許文献１】特開２００４−８１４７１号公報
【発明の概要】
【発明が解決しようとする課題】
【０００６】
しかしながら、特許文献１に開示された食事行動検出装置は、赤外線センサ部の出力から食事行動を検出しているだけで、住居人が食事をし忘れたことを検知できるものではなく、食事忘れを住居人に気付かせて、住居人に食事をとることを促すことはできなかった。
【０００７】
本発明は上記問題点に鑑みて為されたものであり、その目的とするところは、住居人に検出の手間をかけることなく食事忘れを容易に検知でき、食事忘れを住居人に対して報知できる生活支援報知システムを提供することにある。
【課題を解決するための手段】
【０００８】
上記目的を達成するために、請求項１の発明は、住居内に設置された電気調理器具の消費電力から当該電気調理器具の使用の有無を検出する調理器具使用検出手段と、調理器具使用検出手段の検出結果をもとに住居人の食事行動を検知する食事検知手段と、現在時刻を計時する計時手段と、食事行動を行う食事予定時間が登録された食事時間登録手段と、食事検知手段の検知結果及び計時手段の計時時刻をもとに食事予定時間に食事検知手段が食事行動を検知しなければ食事行動忘れと判定する食事行動忘れ判定手段と、食事行動忘れ判定手段が食事行動忘れと判定すると住居人に対して食事行動忘れを報知する報知手段とを備えたことを特徴とする。ここにおいて、食事時間登録手段には、食事予定時間として、食事を摂ると予想される時刻を登録してもよいし、食事を摂ると予想される時間帯を登録してもよい。
【０００９】
請求項２の発明は、請求項１の発明において、食事検知手段が食事予定時間に食事行動を複数回検知した場合も食事行動忘れと判定することを特徴とする。
【００１０】
請求項３の発明は、請求項１又は２の何れかの発明において、報知手段は、食事行動忘れ判定手段によって食事行動忘れと判定された後、食事検知手段によって食事行動が検知されるまで、所定の報知間隔で繰り返し報知しており、食事行動忘れと判定された各食事毎に、報知手段が報知を行った回数の情報及び報知時から食事行動が検知されるまでの時間の情報のうち少なくとも１つの情報を記憶する記憶手段と、当該記憶手段に記憶された情報を出力する出力手段とを備えたことを特徴とする。
【００１１】
請求項４の発明は、請求項１乃至３の何れかひとつの発明において、食事時に合わせて服用時間帯が設定される薬を収納する薬収納装置から薬が取り出されたことを検知する取出検知手段と、食事検知手段が食事行動を検知した時刻から求めた服用時間帯に取出検知手段が薬の取出を検知しなければ、薬の服用を忘れたと判定する薬服用忘れ判定手段とを備え、薬服用忘れ判定手段が薬の服用忘れを判定すると報知手段が薬の服用忘れを報知することを特徴とする。
【発明の効果】
【００１２】
ところで、住居人が食事を行う場合は、住居内に設置された電気調理器具が使用されると想定されるので、請求項１の発明では、電気調理器具が使用されたことから食事検知手段が食事行動を検知し、食事予定時間に食事行動を検知できなければ、食事行動忘れ判定手段が食事忘れと判定しており、食事忘れを検出するために住居人自身が何らかの測定を行う必要がないから、住居人に測定の煩わしさを感じさせることなく、食事忘れを確実に検出することができる。しかも、食事行動忘れ判定手段が食事行動忘れと判定すると、報知手段が住居人に対して食事行動忘れを報知しているので、住居人に対して食事をし忘れていることを気付かせることができ、住居人に食事をとることを促すことができる。
【００１３】
また住居人の物忘れがひどくなると、食事をしたことを忘れて、再び食事をするような状況も予想されるが、請求項２の発明によれば、食事予定時間に食事行動が複数回検出された場合も食事忘れと判定しており、住居人が食事をしたことを忘れて再び食事をしている場合も確実に検出することができる。
【００１４】
請求項３の発明によれば、報知手段が食事忘れを報知した際に、報知手段による報知回数及び報知してから食事が行われるまでの時間のうち少なくとも１つの情報が記憶手段に記憶され、記憶手段に記憶された情報が出力手段から出力されるので、報知手段による報知の効果を確認することができる。
【００１５】
ところで、薬には食前・食後・食間のように食事に合わせて服用のタイミングが設定されるものがあるが、請求項４の発明によれば、食事検知手段が食事を検知した時刻から求めた服用時間帯に、取出検知手段が薬収納装置から薬が取り出されたことを検知しなければ、薬服用忘れ判定手段が薬の服用忘れと判定しているので、薬の飲み忘れを検出して、服用忘れを住居人に対して報知することができる。
【図面の簡単な説明】
【００１６】
【図１】実施形態１のシステム構成図である。
【図２】同上の電力計測装置の概略構成を示すブロック図である。
【図３】同上の制御装置の概略構成を示すブロック図である。
【図４】同上の動作を説明するフローチャートである。
【図５】実施形態２のシステム構成図である。
【図６】同上の制御装置の概略構成を示すブロック図である。
【図７】同上のフローチャートである。
【図８】実施形態３のシステム構成図である。
【図９】同上の薬収納装置の概略構成を示すブロック図である。
【発明を実施するための形態】
【００１７】
本発明に係る生活支援報知システムは、独居の住居人が住居内で行う食事行動を検出し、住居人が食事を忘れていると判断すると、住居人或いは住居人の家族や住居人の訪問介護を行う介護ヘルパーに対して食事行動のし忘れを報知するシステムであり、以下に生活支援報知システムの実施形態を図面に基づいて説明する。
【００１８】
（実施形態１）
本発明の実施形態１を図１〜図４に基づいて説明する。図１は実施形態１の概略的なシステム構成図であり、住居人が多くの時間を過ごす部屋、例えばテレビ（ＴＶ）３の置かれた居間に設置される制御装置１と、台所に置かれた複数の電気調理器具４ａ，４ｂ，４ｃの消費電力量をそれぞれ計測する複数台の電力計測装置２ａ，２ｂ，２ｃとを主要な構成として備えている。尚、電気調理器具４ａ〜４ｃとしては様々なものがあり、例えば電磁調理器からなる電気調理器具４ａや、電子レンジからなる電気調理器具４ｂや、オーブントースタからなる電気調理器具４ｃを例に説明を行う。
【００１９】
電力計測装置２ａ〜２ｃは同一の構成を有しており、電力計測装置２ａについて図２のブロック図を参照して説明する。電力計測装置２ａは、電源コンセント（図示せず）に接続される栓刃２１と、コンセント口２２とを備え、コンセント口２２に設けた刃受部材と栓刃２１とは電気的に接続されている。そして、電力計測装置２ａの栓刃２１が電源コンセントに接続されると、電力計測装置２ａの内部回路に動作電源が供給され、電気調理器具４ａの電源コードに設けられた電源プラグ（図示せず）がコンセント口２２に接続されると、電力計測装置２ａを介して電気調理器具４ａに交流電源が供給される。
【００２０】
また電力計測装置２ａは、全体的な制御を行うＣＰＵ２０と、栓刃２１とコンセント口２２の刃受部材の間を接続する電路に流れる電流を検出するカレントトランスのような電流センサ２３と、電流センサ２３のアナログ出力をデジタル信号に変換してＣＰＵ２０に出力するＡ／Ｄ変換部２４と、Ａ／Ｄ変換部２４の出力値、すなわち電流センサ２３によって計測された電気調理器具４ａの入力電流値を格納する電流値格納部２５と、小電力無線の無線通信モジュールからなりアンテナ２６ａを介して無線信号（電波信号）を送受信する無線通信部２６と、無線通信部２６が送信する送信データを格納する送信データ格納部２７とを備える。
【００２１】
電力計測装置２ａのＣＰＵ２０は、所定のサンプリング間隔でＡ／Ｄ変換部２４にＡ／Ｄ変換を行わせ、デジタル値に変換された電流センサ２３の出力、すなわち電気調理器具４ａの入力電流値を電流値格納部２５に逐次格納させる。またＣＰＵ２０では、所定の送信間隔（例えば５分間隔）で電流値格納部２５から入力電流値を読み出し、前回送信時から現在までの間で入力電流値の最大値をもとに消費電力を演算し、演算結果を送信データ格納部２７に格納させており、送信データ格納部２７に格納された消費電力の演算結果は無線通信部２６によって変調されて、無線信号により制御装置１へ送信される。
【００２２】
一方、制御装置１は、全体的な制御を行うＣＰＵ１０と、小電力無線の無線通信モジュールからなりアンテナ１１ａを介して無線信号（電波信号）を送受信する無線部１１と、無線部１１が受信した受信データを格納する受信データ格納部１２と、各電気調理器具４ａ〜４ｃの５分毎の消費電力を記憶する調理器具別消費電力格納部１３と、個々の電気調理器具４ａ〜４ｃ毎に使用／不使用を判定する消費電力の閾値を記憶する調理器具別電力閾値格納部１４と、朝食・昼食・夕食の各食事を行う食事予定時刻が登録された食事予定時間格納部１５と、食事忘れを検出した際に食事を促す表示を行った時刻を記憶する食事促し表示時刻格納部１６と、テレビ３との間でＨＤＭＩ（High Definition Multimedia Interface）規格の通信を行うＨＤＭＩ通信部１７と、ＨＤＭＩ通信部１７からテレビ３へ出力させる制御データを格納するＨＤＭＩ制御データ格納部１８と、ＨＤＭＩ通信部１７からテレビ３へ出力させる映像、音声の信号（ＡＶデータ）を格納するＨＤＭＩＡＶデータ格納部１９と、現在時刻を計時する計時手段たるＲＴＣ（Real Time Clock）３０とを備えている。
【００２３】
尚、以下の表１は調理器具別電力閾値格納部１４に格納された閾値のデータを示し、電気調理器具４ａ，４ｂ，４ｃの定格電力に応じた閾値が設定されており、例えば電磁調理器からなる電気調理器具４ａの閾値は５００Ｗ、電子レンジからなる電気調理器具４ｂの閾値は２００Ｗ、オーブントースタからなる電気調理器具４ｃの閾値は３００Ｗにそれぞれ設定されている。また表２は食事予定時間格納部１５に格納された食事予定時刻の設定値を示し、朝食の予定時間は７時３０分に、昼食の予定時間は１２時３０分に、夕食の予定時間は１９時００分にそれぞれ設定されている。
【００２４】
【表１】
2010224800.tif 000003
【００２５】
【表２】
2010224800.tif 000004
【００２６】
また、制御装置１のＨＤＭＩＡＶデータ格納部１９には、食事忘れを報知するためにテレビ３に出力させる報知データ（画像データおよび音声データ）として、「朝御飯がまだですよ」「昼御飯がまだですよ」「晩御飯がまだですよ」といった内容のメッセージが予め登録されている。
【００２７】
制御装置１では、無線部１１が何れかの電力計測装置２ａ〜２ｃから送信された無線信号を受信すると、受信データを消費電力のデータに復調して受信データ格納部１２に一時格納させた後、ＣＰＵ１０が、受信データ格納部１２から読み出した消費電力のデータを、各電気調理器具４ａ〜４ｃ毎にＲＴＣ３０が計時した現在時刻の情報に対応付けて調理器具別消費電力格納部１３に記憶させる。表３は調理器具別消費電力格納部１３に格納された消費電力のデータを示し、各電気調理器具４ａ〜４ｃの５分毎の消費電力が記憶されている。
【００２８】
【表３】
2010224800.tif 000005
【００２９】
ところで本システムは、住居人が行う生活行動のうち食事行動（朝食、昼食、夕食）が行われたか否かを検出し、食事をし忘れている場合には食事行動の行動忘れを住居人に対して報知することを目的としているが、住居人が実際に食事をしていることを検出するのは難しい。そこで、食事検知手段たるＣＰＵ１０は、食事行動に伴って発生する事象を検出することで、住居人が食事行動を行ったと推定している。すなわちＣＰＵ１０は、食事（朝食、昼食、夕食）をすると予想される食事時間帯に、電気調理器具４ａ〜４ｃのうち少なくとも何れか１つが使用されていれば食事をしたものと判断し、何れの電気調理器具４ａ〜４ｃも使用されていなければ食事をし忘れていると判断する。尚、調理器具使用検出手段としてのＣＰＵ１０は、調理器具別消費電力格納部１３から読み出した各電気調理器具４ａ〜４ｃの消費電力と、調理器具別電力閾値格納部１４から読み出した各電気調理器具４ａ〜４ｃの閾値との高低を比較することによって、各電気調理器具４ａ〜４ｃが使用されたか否かを判断しており、消費電力のデータが閾値以上であれば使用中、消費電力のデータが閾値未満であれば使用されていないと判断する。
【００３０】
ここで、本システムにより食事行動の行動忘れを検知して、食事のし忘れを報知する処理について、図４のフローチャートに基づいて説明する。尚、図４のフローチャートは朝食のし忘れを判定し、朝食を摂り忘れている場合は朝食忘れの報知を行う処理を示しているが、昼食及び夕食の摂り忘れを判定する処理とは食事予定時間が異なるだけで、それ以外の処理は同様であるので、昼食及び夕食の判定処理については説明を省略する。
【００３１】
制御装置１のＣＰＵ１０は、一定時間毎（例えば１分毎）に食事忘れの判定処理を開始しており、判定処理を開始すると、先ず食事予定時間格納部１５に格納された朝食予定時刻から２時間以内の食事時間帯に現在時刻が入っているか否かを判断する（朝食予定時刻≦現在時刻＜（朝食予定時刻＋２時間））（処理Ｓ１）。
【００３２】
ここで、現在時刻が朝食時間帯の時間内であれば、ＣＰＵ１０は、現在時刻が朝食予定時刻であるか否かの判定を更に行い（処理Ｓ２）、朝食予定時刻であれば食事済みフラグおよび報知済みフラグの値をクリアするとともに（処理Ｓ３）、促し表示時刻の記憶値をクリアした後（処理Ｓ４）、食事済みフラグの値をもとに朝食をし終わっているか否かの判定を行う（処理Ｓ５）。またＳ２の処理で現在時刻が朝食予定時刻でなければ、ＣＰＵ１０は処理Ｓ５に移行し、食事済みフラグの値をもとに朝食をし終わっているか否かの判定を行う。
【００３３】
次に、Ｓ５の処理で食事済みフラグの値から食事済みではないと判断された場合、ＣＰＵ１０は、調理器具別消費電力格納部１３から各電気調理器具４ａ〜４ｃの消費電力のデータを読み出し（処理Ｓ６）、現在時刻から３０分前までの間に消費電力が閾値を超えた電気調理器具４ａ〜４ｃがあるか否か、すなわち使用された電気調理器具４ａ〜４ｃがあるか否かを判断する（処理Ｓ７）。
【００３４】
ここで、処理Ｓ７の判定において、消費電力が閾値を超えた電気調理器具４ａ〜４ｃが１台でもあれば、制御装置１のＣＰＵ１０は、電気調理器具４ａ〜４ｃが使用されたことから住居人が朝食を摂ったものと判断して、食事済みフラグをセットした後（処理Ｓ８）、判定処理を終了する。
【００３５】
一方、処理Ｓ７の判定において、消費電力が閾値を超えた電気調理器具４ａ〜４ｃが１台もなければ、食事行動忘れ判定手段としてのＣＰＵ１０は、電気調理器具４ａ〜４ｃが全く使用されていないことから住居人が朝食を摂るのを忘れているものと判断し、報知済みフラグの値から朝食忘れの報知を行ったか否かを判断する（処理Ｓ９）。処理Ｓ９において報知済みと判断されれば、ＣＰＵ１０は、前回報知時より所定の報知間隔（例えば３０分）が経過したか否かを判断し（処理Ｓ１０）、報知間隔が経過していれば、ＨＤＭＩ通信部１７によりテレビ３との間で通信を行わせることによってテレビ３の電源がオンになっているか否かを判断する（処理Ｓ１１）。また処理Ｓ９において報知済みではないと判断されれば、ＣＰＵ１０は、処理Ｓ１１に移行し、ＨＤＭＩ通信部１７によりテレビ３との間で通信を行わせることによってテレビ３の電源がオンになっているか否かを判断する。
【００３６】
そして、処理Ｓ１１の判定でテレビ３の電源がオンと判定されれば、ＣＰＵ１０は、ＨＤＭＩＡＶデータ格納部１９から朝食忘れを報知するための報知データを読み出すとともに、ＨＤＭＩ制御データ格納部１８から朝食忘れの報知データをテレビ３に表示させる制御データを読み出し、制御データおよび報知データをＨＤＭＩ通信部１７からテレビ３に送信させて、テレビ３から映像や音声で朝食を摂り忘れていることを報知させている（Ｓ１２）。尚、一般的に高齢者はテレビを視聴する時間が長いと考えられるので、本システムではテレビ３を報知手段として利用しているが、ラジオを聴く時間が長い住居人の場合は、ラジオを報知手段として利用すればよいし、居室内の特定の場所に居る時間が長い住居人の場合は、住居人が長くいる場所にスピーカやディスプレイなどの報知装置を設置し、人感センサによりその場所に住居人がいることを検知すれば、上記の報知装置を利用して行動忘れの報知を行えばよい。
【００３７】
また、制御装置１のＣＰＵ１０は、Ｓ１２の処理で食事忘れの報知動作を行うと、報知動作を行った時刻を食事促し表示時刻として食事促し表示時刻格納部１６に記憶させるとともに（処理Ｓ１３）、報知済みフラグをセットして（処理Ｓ１４）、判定処理を終了する。尚、処理Ｓ１０の判定で前回報知時から報知間隔が経過していないと判断された場合、また処理Ｓ１１の判定でテレビ３の電源がオフになっている場合、ＣＰＵ１０は判定処理を終了し、報知動作は行わない。
【００３８】
以上のように本実施形態の生活支援報知システムでは、制御装置１のＣＰＵ１０が、電力計測装置２ａ〜２ｃによって計測された各電気調理器具４ａ〜４ｃの消費電力と、各電気調理器具４ａ〜４ｃ毎に設定された閾値との大小を比較することで、各電気調理器具４ａ〜４ｃの使用の有無を検出している。ここで、住居人が食事を行う場合には、住居内に設置された電気調理器具４ａ〜４ｃが使用されると予想されるので、ＣＰＵ１０では、食事予定時刻から所定時間以内の食事時間帯において、直近の３０分に電気調理器具４ａ〜４ｃのうち何れか１つでも使用されていれば住居人が食事をしたと判断し、何れの電気調理器具４ａ〜４ｃの使用も検知できなければ住居人が食事をし忘れていると判断する。したがって、食事忘れを検出するために住居人自身が何らかの測定を行う必要がないから、住居人に測定の煩わしさを感じさせることなく、食事忘れを確実に検出することができる。しかも、制御装置１のＣＰＵ１０では、食事行動忘れと判定すると、テレビ３を用いて住居人に食事行動忘れを報知しているので、住居人に対して食事をし忘れていることを気付かせることができ、住居人に食事をとることを促すことができる。また制御装置１のＣＰＵ１０は、食事予定時刻から２時間以内の食事時間帯において食事行動忘れを検出した場合、食事時間帯が終了するまでの間、所定の報知間隔で報知動作を繰り返し、食事行動が検知されると報知動作を終了しているので、報知動作を複数回繰り返すことで住居人に対して食事をし忘れていることを確実に知らしめることができ、住居人に食事をとることを促すことができる。
【００３９】
ところで、住居人の物忘れがひどくなると、食事後に食事をしたことを忘れて再び食事をするといった具合に、食事をしたことすら忘れてしまう可能性がある。そこで、行動忘れ検知手段としてのＣＰＵ１０では、食事時間帯において食事行動が複数回検出された場合も食事忘れと判定して、テレビ３を用いた報知動作を行っており、食事をしたことを忘れて再び食事をするような行動忘れについても住居人に報知することが可能になる。尚、食事の準備の際には複数の電気調理器具４ａ〜４ｃが時間を空けて使用されたり、同じ電気調理器具４ａ〜４ｃが時間を空けて使用されることがあるため、所定時間以上の間隔をおいて食事行動が複数回検出された場合に、食事をしたことを忘れて再び食事をしていると反転すればよい。
【００４０】
（実施形態２）
本発明の実施形態２を図５〜図７に基づいて説明する。図５は本実施形態の概略的なシステム構成図であり、実施形態１で説明した制御装置１にインターネットＮＴに接続する機能を付加し、制御装置１で収集した生活行動に関する情報をインターネットＮＴを介してセンターサーバ５にアップロードしており、例えば住居人の訪問介護を行う介護ヘルパーや住居人の家族が携帯電話６を用いて携帯電話網及びインターネットＮＴを介してセンターサーバ５にアクセスすることによって、センターサーバ５にアップロードされた住居人の生活行動に関する情報を確認できるようになっている。尚、収集した情報を外部に出力する機能を制御装置１に追加した以外は実施形態１の生活支援報知システムと同様であるので、共通する構成要素には同一の符号を付して、その説明は省略する。
【００４１】
図６は制御装置１のブロック図であり、制御装置１は、実施形態１で説明したように、全体的な制御を行うＣＰＵ１０と、アンテナ１１ａを介して無線信号（電波信号）を送受信する無線部１１と、無線部１１が受信した受信データを格納する受信データ格納部１２と、各電気調理器具４ａ〜４ｃの５分毎の消費電力を記憶する調理器具別消費電力格納部１３と、個々の電気調理器具４ａ〜４ｃ毎に使用／不使用を判定する消費電力の閾値を記憶する調理器具別電力閾値格納部１４と、朝食・昼食・夕食の各食事を行う食事予定時間が登録された食事予定時間格納部１５と、食事忘れを検出した際に食事を促す表示を行った時刻を記憶する食事促し表示時刻格納部１６と、テレビ３との間でＨＤＭＩ規格の通信を行うＨＤＭＩ通信部１７と、ＨＤＭＩ通信部１７からテレビ３へ出力させる制御データを格納するＨＤＭＩ制御データ格納部１８と、ＨＤＭＩ通信部１７からテレビ３へ出力させる映像、音声の信号（ＡＶデータ）を格納するＨＤＭＩＡＶデータ格納部１９と、現在時刻を計時する計時手段たるＲＴＣ３０とを備えるとともに、食事行動を検知した時刻の情報およびテレビ３により食事忘れを報知した回数の情報を格納する食事履歴格納部（記憶手段）３１と、インターネットＮＴに接続されてＴＣＰ／ＩＰプロトコルの通信を行うインターフェイス部（インターネットＩＦ部）３２と、インターネットＮＴを経由してセンターサーバ５に報知するデータを格納するインターネット報知データ格納部３３とを備えている。
【００４２】
ここで、本システムにより食事行動の行動忘れを検知して、食事のし忘れを報知する処理について、図７のフローチャートに基づいて説明する。尚、図７のフローチャートは朝食のし忘れを判定し、朝食を摂り忘れている場合は朝食忘れの報知を行う処理を示しているが、昼食及び夕食の摂り忘れを判定する処理とは食事予定時間が異なるだけで、それ以外の処理は同様であるので、昼食及び夕食の判定処理については説明を省略する。
【００４３】
制御装置１のＣＰＵ１０は、一定時間毎（例えば１分毎）に食事忘れの判定処理を開始しており、判定処理を開始すると、先ず食事予定時間格納部１５に格納された朝食予定時刻から２時間以内の食事時間帯に現在時刻が入っているか否かを判断する（朝食予定時刻≦現在時刻＜（朝食予定時刻＋２時間））（処理Ｓ１）。
【００４４】
ここで、現在時刻が朝食時間帯の時間内であれば、ＣＰＵ１０は、現在時刻が朝食予定時刻であるか否かの判定を更に行い（処理Ｓ２）、朝食予定時刻であれば食事済みフラグおよび報知済みフラグの値をクリアするとともに（処理Ｓ３）、促し表示時刻の記憶値をクリアして（処理Ｓ４）、以後の処理に備える。そして、処理Ｓ４を終えるか又は処理Ｓ２の判定で現在時刻が朝食予定時刻でないと判定されれば、ＣＰＵ１０は、食事済みフラグの値をもとに朝食をし終わっているか否かの判定を行う（Ｓ５）。
【００４５】
次に、Ｓ５の処理で食事済みフラグの値から食事済みではないと判断された場合、ＣＰＵ１０は、調理器具別消費電力格納部１３から各電気調理器具４ａ〜４ｃの消費電力のデータを読み出し（処理Ｓ６）、現時刻から３０分前までの間に消費電力が閾値を超えた電気調理器具４ａ〜４ｃがあるか否か、すなわち使用された電気調理器具４ａ〜４ｃがあるか否かを判断する（処理Ｓ７）。
【００４６】
ここで、処理Ｓ７の判定において、消費電力が閾値を超えた電気調理器具４ａ〜４ｃが１台でもあれば、制御装置１のＣＰＵ１０は、電気調理器具４ａ〜４ｃが使用されたことから住居人が朝食を食べたものと判断して、食事済みフラグをセットし（処理Ｓ８）、ＲＴＣ３０が計時した現在時刻を食事行動を検知した時刻として食事履歴格納部３１に記憶させた後（処理Ｓ１５）、判定処理を終了する。
【００４７】
一方、処理Ｓ７の判定において、消費電力が閾値を超えた電気調理器具４ａ〜４ｃが１台もなければ、食事行動忘れ判定手段としてのＣＰＵ１０は、電気調理器具４ａ〜４ｃが全く使用されていないことから住居人が朝食を摂るのを忘れているものと判断し、報知済みフラグの値から朝食忘れの報知を行ったか否かを判断する（処理Ｓ９）。処理Ｓ９において報知済みと判断されれば、ＣＰＵ１０は、前回報知時より所定の報知間隔（例えば３０分）が経過したか否かを判断し（処理Ｓ１０）、報知間隔が経過していれば、ＨＤＭＩ通信部１７によりテレビ３との間で通信を行わせることによってテレビ３の電源がオンになっているか否かを判断する（処理Ｓ１１）。また処理Ｓ９において報知済みではないと判断されれば、ＣＰＵ１０は、処理Ｓ１１に移行し、ＨＤＭＩ通信部１７によりテレビ３との間で通信を行わせることによってテレビ３の電源がオンになっているか否かを判断する。
【００４８】
そして、処理Ｓ１１の判定でテレビ３の電源がオンと判定されれば、ＣＰＵ１０は、ＨＤＭＩＡＶデータ格納部１９から朝食忘れを報知するための報知データを読み出すとともに、ＨＤＭＩ制御データ格納部１８から朝食忘れの報知データをテレビ３に表示させる制御データを読み出し、制御データおよび報知データをＨＤＭＩ通信部１７からテレビ３に送信させて、テレビ３から映像や音声で朝食を摂り忘れていることを報知させている（Ｓ１２）。尚、一般的に高齢者はテレビを視聴する時間が長いと考えられるので、本システムではテレビ３を報知手段として利用しているが、ラジオを聴く時間が長い住居人の場合は、ラジオを報知手段として利用すればよいし、居室内の特定の場所に居る時間が長い住居人の場合は、住居人が長くいる場所にスピーカやディスプレイなどの報知装置を設置し、人感センサによりその場所に住居人がいることを検知すれば、上記の報知装置を利用して行動忘れの報知を行えばよい。
【００４９】
また、制御装置１のＣＰＵ１０は、Ｓ１２の処理で食事忘れの報知動作を行うと、報知動作を行った時刻を食事促し表示時刻として食事促し表示時刻格納部１６に記憶させるとともに（処理Ｓ１３）、報知回数の情報を食事履歴格納部３１に記憶させた後（処理Ｓ１６）、報知済みフラグをセットして（処理Ｓ１４）、判定処理を終了する。尚、処理Ｓ１０の判定で前回報知時から報知間隔が経過していないと判断された場合、また処理Ｓ１１の判定でテレビ３の電源がオフになっている場合、ＣＰＵ１０は判定処理を終了し、報知動作は行わない。
【００５０】
以上のように本実施形態の生活支援報知システムでは、制御装置１のＣＰＵ１０が判定処理を行う際に、食事行動を検知する毎に、食事行動を検知した時間の情報を食事履歴格納部３１に格納するとともに、報知動作を行った場合には報知回数の情報を食事履歴格納部３１に格納してある。下記の表４は食事履歴格納部３１に格納された情報の一例を示し、各日の朝食、昼食、夕食について食事行動を検出した時刻の情報と、報知回数の情報が格納されている。尚、表４に格納されたデータのうち、例えば２００８年２月３日の夕食については食事行動の検知時刻が１９時、報知回数が０回となっており、この場合は報知を受けることなく住居人が夕食を摂っている。また２００８年１月１０日の朝食については食事行動の検知時刻が８時１０分、報知回数が２回となっており、食事忘れの報知を２回行った後の８時１０分に住居人が朝食を摂っている。また食事行動が検知できなかった場合、ＣＰＵ１０は、食事行動の検知時刻として例えば９９：９９という現実にはない時間を食事履歴格納部３１に記憶させており、例えば２００８年１月１０日の朝食のように食事行動の検知時刻が９９：９９となっている場合は食事行動が検知できなかったことを示している。
【００５１】
【表４】
2010224800.tif 000006
【００５２】
そして、制御装置１のＣＰＵ１０は、所定のタイミング（例えば毎日決まった時刻）で食事履歴格納部３１からセンターサーバ５にアップロードするデータを読み出して、インターネット報知データ格納部３３に一時格納したのち、インターネット報知データ格納部３３に格納されたデータをインターネットＩＦ部３２からインターネット経由でセンターサーバ５にアップロードしており、センターサーバ５に、制御装置１によって収集された食事行動の検知時間および報知回数の情報を蓄積することができる。而して、住居人の訪問介護を行う介護ヘルパーや住居人の家族が、インターネットＮＴ経由でセンターサーバ５にアクセス可能な携帯電話６のような端末装置を用い、センターサーバ５に蓄積された食事行動に関する情報（例えば食事行動の検知時間や報知回数）を参照することによって、住居人が食事を行っているか否か、行っている場合はその検知時刻、行動忘れを報知した場合は行動忘れの報知回数を確認することができ、住居人の食事行動を把握することができる。
【００５３】
尚、本実施形態では食事行動に関する情報として、食事行動が行われたか否かの情報と、食事行動が行われた場合は食事行動を検知した時刻の情報と、テレビ３を用いて報知を行った回数の情報とを食事履歴格納部３１に記憶させているが、食事行動に関わる情報として上記以外の情報を食事履歴格納部３１に記憶させてもよく、例えばテレビ３を用いて報知を行った回数の情報、及び、報知時から食事行動が検知されるまでの時間の情報のうち少なくとも１つの情報を記憶させることによって、これらの情報から行動忘れの報知を行うことの効果を確認することができる。
【００５４】
また制御装置１は、食事履歴格納部３１に格納された食事行動に関する情報を外部に出力する出力手段として、インターネットＮＴ経由でセンターサーバに情報を出力するインターネットＩＦ部３２を備えているが、例えば食事履歴格納部３１に格納された食事行動に関する情報を画面上に表示するディスプレイや、紙に印字するプリンタや、メモリカードのような記憶媒体に電子データとして出力するＩ／Ｏ装置を出力手段として備えるものでもよく、出力手段によって外部に出力された情報をもとに住居人の食事行動を把握することができる。
【００５５】
（実施形態３）
本発明の実施形態３を図８及び図９に基づいて説明する。図８は本実施形態の概略的なシステム構成図であり、本実施形態の生活支援報知システムでは、食事時に合わせて服用時間帯が設定される薬を収納するとともに、薬が取り出されたことを検知して取出検知信号を出力する薬収納装置７を備え、制御装置１では、食事行動を検知した時刻から求めた服用時間帯に薬収納装置７から取出検知信号が入力されなければ、薬の服用を忘れたと判定し、テレビ３に薬の服用を促す表示を行わせている。尚、薬収納装置７以外は実施形態１又は２で説明した生活支援報知システムと同様であるので、共通する構成要素には同一の符号を付してその説明は省略する。
【００５６】
図９は薬収納装置７の概略的なブロック図であり、薬収納装置７は、薬を収納する引出状の薬収納部４１と、例えば薬収納部４１の引出操作を検出することによって薬の取出を検知する取出検知部４２と、取出検知部４２が薬の取出を検知すると取出検知信号を制御装置１に出力する信号出力部４３とを備えている。
【００５７】
制御装置１は、実施形態２で説明したものと同様の構成を備えるとともに、薬収納装置７からの取出検知信号を受け付ける信号入力部（図示せず）を備えている。また制御装置１のＨＤＭＩＡＶデータ格納部１９には、薬の飲み忘れを報知するためにテレビ３に出力させる報知データ（画像データおよび音声データ）として、「まだ薬を飲んでいませんよ」といった内容のメッセージが予め登録されている。
【００５８】
制御装置１のＣＰＵ１０は、実施形態１で説明したように食事予定時刻から２時間以内の食事時間帯において食事行動が行われたか否かを検出しており、食事行動を検出すると、食事行動の検出時刻をもとに薬収納装置７に収納された薬の服用時間を設定する。一般的に薬には食前・食後・食間のように食事に合わせて服用のタイミングが決められているので、薬の服用タイミングを制御装置１に予め設定しておけば、制御装置１のＣＰＵ１０は、食事行動の検知時刻をもとに、食前・食中・食間の薬の服用時間帯を求めることができる。そして、ＣＰＵ１０では、食事の検知時刻から求めた薬の服用時間帯に薬収納装置７から取出検知信号が入力されたか否かを判断し、薬の服用時間帯に取出検知信号が入力されていれば、住居者が薬を服用したと判断し、服用時間帯に取出検知信号が入力されなければ、住居者が薬の服用を忘れていると判断する。そして、薬の服用忘れを検出した場合、制御装置１のＣＰＵ１０は、ＨＤＭＩＡＶデータ格納部１９から薬の服用忘れを報知するための報知データを読み出すとともに、ＨＤＭＩ制御データ格納部１８から服用忘れの報知データをテレビ３に表示させる制御データを読み出し、制御データおよび報知データをＨＤＭＩ通信部１７からテレビ３に送信させて、テレビ３から映像や音声で薬の服用を忘れていることを報知させているので、住居人に薬の服用忘れに気付かせることができる。
【符号の説明】
【００５９】
１  制御装置
２ａ〜２ｃ  電力計測装置
３  テレビ
４ａ〜４ｃ  電気調理器具
１０  ＣＰＵ（調理器具使用検出手段、食事検知手段、食事行動忘れ判定手段、報知手段）
１１  無線通信部
１１ａ  アンテナ
１２  受信データ格納部
１３  調理器具別消費電力格納部
１４  調理器具別電力閾値格納部
１５  食事予定時間格納部（食事時間登録手段）
１６  表示時刻格納部
１７  ＨＤＭＩ通信部（報知手段）
１８  ＨＤＭＩ制御データ格納部
１９  ＨＤＭＩＡＶデータ格納部
３０  ＲＴＣ（計時手段）
【図１】
2010224800.tif 000007
【図２】
2010224800.tif 000008
【図３】
2010224800.tif 000009
【図４】
2010224800.tif 000010
【図５】
2010224800.tif 000011
【図６】
2010224800.tif 000012
【図７】
2010224800.tif 000013
【図８】
2010224800.tif 000014
【図９】
2010224800.tif 000015